(57)【要約】【課題】  擬似まつ毛をまつ毛に接着する作業をスムーズに行うことが可能な擬似まつ毛用接着剤仮置き具を提供すること。【解決手段】  接着剤仮置き具Ａ１は、ポリエチレン、ポリプロピレン、ポリアセタール、シリコーンゴム、またはフッ素樹脂の少なくともいずれかからなる接着剤仮置き面２１を有する。【選択図】  図１
2010275681.tif 000002
【特許請求の範囲】
【請求項１】
ポリエチレン、ポリプロピレン、ポリアセタール、シリコーンゴム、またはフッ素樹脂の少なくともいずれかからなる接着剤仮置き面を有することを特徴とする、擬似まつ毛用接着剤仮置き具。
【請求項２】
上記接着剤仮置き面を支持する本体と、
上記本体に対して回動可能に取り付けられており、上記本体に対して重ね合わせられた状態をとることにより、上記接着剤仮置き面を覆うカバーと、
を備える、請求項１に記載の擬似まつ毛用接着剤仮置き具。
【請求項３】
その一面が上記接着剤仮置き面とされ、上記本体にはめ込まれた樹脂板と、
上記本体および上記樹脂板に挟まれた絵柄板と、
を備える、請求項２に記載の擬似まつ毛用接着剤仮置き具。
【請求項４】
ポリプロピレンによって形成された基材およびこの基材にコーティングされたシリコーン層からなり、かつ上記シリコーン層表面が上記接着剤仮置き面とされた１以上の樹脂シートを備える、請求項２に記載の擬似まつ毛用接着剤仮置き具。
【発明の詳細な説明】
【技術分野】
【０００１】
本発明は、擬似まつ毛用接着剤仮置き具に関する。
【背景技術】
【０００２】
おもに女性の目元を華やかに見せる手段として、たとえば付けまつ毛が広く用いられている。特許文献１には、その一手法として、１本１本に独立した形態の擬似まつ毛を用いる手法が開示されている。
【０００３】
この手法においては、施術される人のまつ毛と似せた形態の擬似まつ毛を用いる。この擬似まつ毛を、１本１本個別に施術される人のまつ毛に接着する。この接着には、たとえば、迅速な接着が可能であるシアノアクリレート系の接着剤が用いられる。このような手法によれば、上記擬似まつ毛は、たとえば１ヶ月近く施術された人のまつ毛に接着された状態を保つことが可能であるため、日常の特別な処置を要することなく施術された人の目元を長い間華やかに見せることができる。
【０００４】
しかしながら、この手法においては、あるところに仮置きされた上記接着剤に、上記擬似まつ毛の一部を１本ごとに浸した後に接着するという作業を、たとえばまつ毛の本数に相当する回数繰り返すこととなる。このため、仮置きされた接着剤が、仮置きされた場所において硬化してしまうおそれがある。また、作業を終えた後には、仮置きされた場所から硬化した接着剤を削り取る、あるいは仮置きされた場所とされた物を廃棄することが強いられていた。これは、この手法を煩雑なものとする一因となっていた。
【先行技術文献】
【特許文献】
【０００５】
【特許文献１】特開平１０−１８３４１５号公報
【発明の概要】
【発明が解決しようとする課題】
【０００６】
本発明は、上記した事情のもとで考え出されたものであって、擬似まつ毛をまつ毛に接着する作業をスムーズに行うことが可能な擬似まつ毛用接着剤仮置き具を提供することをその課題とする。
【課題を解決するための手段】
【０００７】
本発明によって提供される擬似まつ毛用接着剤仮置き具は、ポリエチレン、ポリプロピレン、ポリアセタール、シリコーンゴム、またはフッ素樹脂の少なくともいずれかからなる接着剤仮置き面を有することを特徴としている。
【０００８】
本発明の好ましい実施の形態においては、上記接着剤仮置き面を支持する本体と、上記本体に対して回動可能に取り付けられており、上記本体に対して重ね合わせられた状態をとることにより、上記接着剤仮置き面を覆うカバーと、を備える。
【０００９】
本発明の好ましい実施の形態においては、その一面が上記接着剤仮置き面とされ、上記本体にはめ込まれた樹脂板と、上記本体および上記樹脂板に挟まれた絵柄板と、を備える。
【００１０】
本発明の好ましい実施の形態においては、ポリプロピレンによって形成された基材およびこの基材にコーティングされたシリコーン層からなり、かつ上記シリコーン層表面が上記接着剤仮置き面とされた１以上の樹脂シートを備える。
【００１１】
このような構成によれば、上記接着剤仮置き面においてたとえばシアノアクリレート系の接着剤が直ちに硬化してしまうことを抑制することが可能である。これにより、擬似まつ毛を１本ずつ上記接着剤に浸し、これをまつ毛に接着するという作業を落ち着いて行うことができる。また、接着作業を終えた後には、上記接着剤仮置き面に残った上記接着剤を容易にふき取ることが可能である。したがって、上記擬似まつ毛用接着剤仮置き具によれば、擬似まつ毛の接着作業をスムーズに行うことができる。
【００１２】
本発明のその他の特徴および利点は、添付図面を参照して以下に行う詳細な説明によって、より明らかとなろう。
【図面の簡単な説明】
【００１３】
【図１】本発明の第１実施形態に基づく擬似まつ毛用接着剤仮置き具を示す斜視図である。
【図２】本発明の第１実施形態に基づく擬似まつ毛用接着剤仮置き具を示す分解斜視図である。
【図３】本発明の第２実施形態に基づく擬似まつ毛用接着剤仮置き具を示す分解斜視図である。
【図４】本発明の第２実施形態に基づく擬似まつ毛用接着剤仮置き具に用いられる樹脂シートを示す要部断面図である。
【発明を実施するための形態】
【００１４】
以下、本発明の好ましい実施の形態につき、図面を参照して具体的に説明する。
【００１５】
図１および図２は、本発明の第１実施形態に基づく擬似まつ毛用接着剤仮置き具を示している。本実施形態の接着剤仮置き具Ａ１は、本体１、樹脂板２、絵柄板３、およびカバー４を備えており、たとえば白粉を持ち運ぶために広く用いられる携帯用化粧用具に類似の形態とされている。
【００１６】
本体１は、片手に収まる程度のサイズとされた円形厚板状であり、たとえば黒色の樹脂からなる。図２に示すように、本体１には、円形の凹部１１が形成されている。
【００１７】
樹脂板２は、たとえばポリプロピレンからなり、円形板状とされている。ポリプロピレンからなる樹脂板２は、半透明の乳白色を呈している。樹脂板２の上面は、接着剤仮置き面２１とされている。樹脂板２の材質としては、ポリプロピレン以外に、ポリエチレン、ポリアセタール、シリコーンゴム、またはフッ素樹脂を用いてもよい。図２に示すように、樹脂板２は、凹部１１にはめ込まれている。
【００１８】
絵柄板３は、たとえば厚紙からなる円形薄板状であり、図２に示すように、その表面に絵柄３１が描かれている。絵柄板３は、凹部１１の底部に配置されており、本体１と樹脂板２とによって挟まれている。図１に示すように、本実施形態においては、樹脂板２が半透明の乳白色を呈していることにより、樹脂板２を透して絵柄３１が視認可能とされている。
【００１９】
カバー４は、本体１とほぼ同じサイズとされた円形厚板状であり、図１に示すように、たとえばヒンジを介して本体１に対して回動可能とされている。接着剤仮置き具Ａ１を持ち歩くときには、カバー４を閉状態とする。この状態においては、接着剤仮置き面２１がカバー４によって覆われる。一方、擬似まつ毛５の接着作業に用いられるときには、カバー４は開状態とされ、接着剤仮置き面２１が露出する。
【００２０】
次に、接着剤仮置き具Ａ１の作用について説明する。
【００２１】
接着剤仮置き具Ａ１を用いて擬似まつ毛５の接着作業を行うときには、接着剤仮置き面２１に、たとえばシアノアクリレート系の接着剤６が仮置きされる。接着剤仮置き面２１は、ポリプロピレンからなるため、接着剤６が直ちに硬化してしまうことを抑制することが可能である。これにより、擬似まつ毛５を１本ずつ接着剤６に浸し、これをまつ毛に接着するという作業を落ち着いて行うことができる。また、接着作業を終えた後には、接着剤仮置き面２１に残った接着剤６を容易にふき取ることが可能である。したがって、接着剤仮置き具Ａ１によれば、擬似まつ毛の接着作業をスムーズに行うことができる。このような作用効果は、樹脂板２がポリプロピレンからなる場合に限定されず、ポリエチレン、ポリアセタール、シリコーンゴム、またはフッ素樹脂からなる場合であっても、同様に奏される。
【００２２】
また、カバー４を備えることにより携帯用化粧用具に類似の形態とされた接着剤仮置き具Ａ１は、持ち運びに便利であり、かつ作業可能な状態を即座にとらせるのに都合がよい。樹脂板２を透して絵柄３１が視認可能であることは、擬似まつ毛５の接着作業中においても、作業の場を華やかな雰囲気とするのに適している。絵柄板３を適宜取り替えれば、そのたびに新鮮な印象を醸し出すことができる。
【００２３】
図３は、本発明の第２実施形態に基づく接着剤仮置き具を示している。なお、本図において、上記実施形態と同一または類似の要素には、上記実施形態と同一の符号を付している。本実施形態の接着剤仮置き具Ａ２は、接着剤仮置き面２１を形成するための構成が上述した実施形態と異なっている。
【００２４】
接着剤仮置き具Ａ２は、複数の樹脂シート２２およびスペーサ２３を備えている。複数の樹脂シート２２は、図４に示すように、基材２２ａとシリコーン層２２ｂとからなる。基材２２ａは、ポリプロピレンからなるシートである。シリコーン層２２ｂは、基材２２ａにコーティングされており、シリコーン樹脂からなる。スペーサ２３は、透明あるいは半透明の樹脂からなる。
【００２５】
本実施形態においては、本体１側から絵柄板３、スペーサ２３、複数の樹脂シート２２の順で重ねられている。複数の樹脂シート２２は、リング１２によって固定されている。リング１２は、複数の樹脂シート２２、スペーサ２３、および絵柄板３を挟むように本体１に脱着可能に取り付けられている。複数の樹脂シート２２のうち最上位にあるものの表面が、接着剤仮置き面２１を構成している。
【００２６】
このような実施形態によっても、接着剤仮置き面２１に残った接着剤６を容易にふき取ることが可能である。発明者らの試験によれば、ポリプロピレンからなる基材２２ａにシリコーン層２２ｂを設けることにより、固まりかけた接着剤６をより好適に取り除くことができることが判明した。さらに、多数回の使用により、最上位にある樹脂シート２２に接着剤が不可避的にこびりついてしまった場合は、リング１２を取り外すし、その樹脂シート２２を除去する。これにより、新たな接着剤仮置き面２１を現出させることができる。
【００２７】
本発明に係る擬似まつ毛用接着剤仮置き具は、上述した実施形態に限定されるものではない。本発明に係る擬似まつ毛用接着剤仮置き具の各部の具体的な構成は、種々に設計変更自在である。
【００２８】
本体１と別体とされた樹脂板２を備える構成に限定されず、たとえばポリプロピレンを初めとする上述された材質によって本体１を形成することにより、その表面の一部を本発明で言う接着剤仮置き面としてもよい。カバー４を備える構成に限定されず、接着剤仮置き面が常に露出する構成であってもよい。
【符号の説明】
【００２９】
Ａ      （擬似まつ毛用）接着剤仮置き具
１      本体
１１    凹部
１２    リング
２      樹脂板
２１    接着剤仮置き面
２２    樹脂シート
２２ａ  基材
２２ｂ  シリコーン層
２３    スペーサ
３      絵柄板
３１    絵柄
４      カバー
５      擬似まつ毛
６      接着剤
【図２】
2010275681.tif 000003
【図３】
2010275681.tif 000004
【図４】
2010275681.tif 000005
【図１】
2010275681.tif 000006